(57)【要約】【課題】  容易に、且つ、精度良く患部に薬剤を充填することを可能にする歯科用薬剤充填装置を提供することにある。【解決手段】  把持部の一端に薬剤採取部を備え該薬剤採取部によって薬剤を採取する薬剤採取具と、上記薬剤採取具の上記薬剤採取部を覆うように取り付けられ上記薬剤採取部により採取された薬剤を保持する薬剤保持具と、上記薬剤保持具内に挿し込まれ上記薬剤保持具によって保持された薬剤を押し出す薬剤押出具と、を具備したことを特徴とするものである。【選択図】  図１
2019088599.tif 000002
【特許請求の範囲】
【請求項１】
把持部の一端に薬剤採取部を備え該薬剤採取部によって薬剤を採取する薬剤採取具と、
上記薬剤採取具の上記薬剤採取部を覆うように取り付けられ上記薬剤採取部により採取された薬剤を保持する薬剤保持具と、
上記薬剤保持具内に挿し込まれ上記薬剤保持具によって保持された薬剤を押し出す薬剤押出具と、
を具備したことを特徴とする歯科用薬剤充填装置。
【請求項２】
請求項１記載の歯科用薬剤充填装置において、
上記薬剤採取部は薬剤採取用溝を上記把持部と交差する方向に延長させたものであることを特徴とする歯科用薬剤充填装置。
【請求項３】
請求項２記載の歯科用薬剤充填装置において、
上記薬剤採取具の上記把持部の他端には患部に充填された薬剤を押し込む薬剤押込部が設けられていることを特徴とする歯科用薬剤充填装置。
【請求項４】
請求項１〜請求項３の何れかに記載の歯科用薬剤充填装置において、
上記薬剤保持具には上記薬剤採取具の一部が嵌る切欠部が設けられていることを特徴とする歯科用薬剤充填装置。
【請求項５】
請求項１〜請求項４の何れかに記載の歯科用薬剤充填装置において、
上記薬剤押出具の先端面には薬剤との密着度を高める溝が設けられていることを特徴とする歯科用薬剤充填装置。
【発明の詳細な説明】
【技術分野】
【０００１】
本願発明は、例えば、歯の根管部に薬剤（例えば、根充用セメント）を充填する歯科用薬剤充填装置に係り、特に、簡単な作業で、且つ、正確に充填することができるように工夫したものに関する。
【背景技術】
【０００２】
歯の根管部に薬剤を充填する歯科用薬剤充填装置の構成を開示するものとして、例えば、特許文献１、特許文献２、特許文献３、等がある。
【０００３】
まず、特許文献１に記載された発明による根管充填器の場合には、シリンジタイプの針管を使用して歯の根管部に薬剤を充填するものである。
【０００４】
次に、特許文献２に記載された発明によるピンセットは、文字通り、ピンセットタイプであり、先端部で薬剤を挟んで歯の根管部に薬剤を充填するものである。
【０００５】
さらに、特許文献３に記載された発明による根管治療用ニードルユニットの場合には、ガンタイプのニードルユニットを使用して歯の根管部に薬剤を充填するものである。
【先行技術文献】
【特許文献】
【０００６】
【特許文献１】特開２０１０−４６２４８号公報
【特許文献２】特開２００７−３０４３４１号公報
【特許文献３】特表２０１０−５２３１９６号公報
【発明の概要】
【発明が解決しようとする課題】
【０００７】
上記従来の構成によると次のような問題があった。
まず、特許文献１に記載されたシリンジタイプの針管の場合には、まず、針管内に薬剤を充填することが困難であるという問題があった。又、そのような針管を使用して薬剤を歯の根管部に充填する作業にも熟練を要してしまうという問題があった。
又、特許文献２に記載されたピンセットの場合には、保持できる薬剤に制限があり、粘度の低い薬剤の保持は困難であった。又、仮に保持できたとしてもそれを歯の所定の根管部に充填する作業は容易ではなく、作業に熟練を要してしまうとう問題があった。
さらに、特許文献３に記載されたガンタイプのニードルユニットの場合にも、作業に熟練を要してしまうという問題があった。
【０００８】
本発明はこのような点に基づいてなされたものでその目的とするところは、容易に、且つ、精度良く薬剤を充填することを可能にする歯科用薬剤充填装置を提供することにある。
【課題を解決するための手段】
【０００９】
上記目的を達成するべく本願発明の請求項１による歯科用薬剤充填装置は、把持部の一端に薬剤採取部を備え該薬剤採取部によって薬剤を採取する薬剤採取具と、上記薬剤採取具の上記薬剤採取部を覆うように取り付けられ上記薬剤採取部により採取された薬剤を保持する薬剤保持具と、上記薬剤保持具内に挿し込まれ上記薬剤保持具によって保持された薬剤を押し出す薬剤押出具と、
を具備したことを特徴とするものである。
又、請求項２による歯科用薬剤充填装置は、請求項１記載の歯科用薬剤充填装置において、上記薬剤採取部は薬剤採取用溝を上記把持部と交差する方向に延長させたものであることを特徴とするものである。
又、請求項３による歯科用薬剤充填装置は、請求項２記載の歯科用薬剤充填装置において、上記薬剤採取具の上記把持部の他端には患部に充填された薬剤を押し込む薬剤押込部が設けられていることを特徴とするものである。
又、請求項４による歯科用薬剤充填装置は、請求項１〜請求項３の何れかに記載の歯科用薬剤充填装置において、上記薬剤保持具には上記薬剤採取具の一部が嵌る切欠部が設けられていることを特徴とするものである。
又、請求項５による歯科用薬剤充填装置は、請求項１〜請求項４の何れかに記載の歯科用薬剤充填装置において、上記薬剤押出具の先端面には薬剤との密着度を高める溝が設けられていることを特徴とするものである。
【発明の効果】
【００１０】
以上述べたように本発明の請求項１による歯科用薬剤充填装置によると、把持部の一端に薬剤採取部を備え該薬剤採取部によって薬剤を採取する薬剤採取具と、上記薬剤採取具の上記薬剤採取部を覆うように取り付けられ上記薬剤採取部により採取された薬剤を保持する薬剤保持具と、上記薬剤保持具内に挿し込まれ上記薬剤保持具によって保持された薬剤を押し出す薬剤押出具と、
を具備した構成になっているので、患部に薬剤を容易に、且つ、正確に充填することができる。
又、請求項２による歯科用薬剤充填装置によると、請求項１記載の歯科用薬剤充填装置において、上記薬剤採取部は薬剤採取用溝を上記把持部と交差する方向に延長させたものであるので、溶解された薬剤の採取作業が容易である。
又、請求項３による歯科用処置具によると、請求項２記載の歯科用薬剤充填装置において、上記薬剤採取具の上記把持部の他端には患部に充填された薬剤を押し込む薬剤押込部が設けられているので、患部に充填された薬剤を押し込む際に同じ治具を使用して行うことができる。
又、請求項４による歯科用薬剤充填装置によると、請求項１〜請求項３の何れかに記載の歯科用薬剤充填装置において、上記薬剤保持具には上記薬剤採取具の一部が嵌る切欠部が設けられているので、薬剤採取具と薬剤保持具が干渉することを防止することができる。
又、請求項５による歯科用薬剤充填装置によると、請求項１〜請求項４の何れかに記載の歯科用薬剤充填装置において、上記薬剤押出具の先端面には薬剤との密着度を高める溝が設けられているので、その溝部に薬剤の一部が入り込むことになるので、押出し時に薬剤が不用意に脱落してしまうことを防止することができる。
【図面の簡単な説明】
【００１１】
【図１】本発明の一実施の形態を示す図で、歯科用薬剤充填装置の構成を示す斜視図である。
【図２】本発明の一実施の形態を示す図で、歯科用薬剤充填装置を構成する各器具を分離させた状態を示す斜視図である。
【図３】本発明の一実施の形態を示す図で、歯科用薬剤充填装置の正面図である。
【図４】本発明の一実施の形態を示す図で、歯科用薬剤充填装置の背面図である。
【図５】本発明の一実施の形態を示す図で、図３のＶ−Ｖ矢視図である。
【図６】本発明の一実施の形態を示す図で、図３のＶＩ−ＶＩ矢視図である。
【図７】本発明の一実施の形態を示す図で、図３のＶＩＩ−ＶＩＩ矢視図である。
【図８】本発明の一実施の形態を示す図で、図３のＶＩＩＩ−ＶＩＩＩ矢視図である。
【図９】本発明の一実施の形態を示す図で、歯科用薬剤充填装置の薬剤採取具の正面図である。
【図１０】本発明の一実施の形態を示す図で、歯科用薬剤充填装置の薬剤採取具の背面図である。
【図１１】本発明の一実施の形態を示す図で、図９のＸＩ−ＸＩ矢視図である。
【図１２】本発明の一実施の形態を示す図で、図９のＸＩＩ−ＸＩ矢視図である。
【図１３】本発明の一実施の形態を示す図で、図９のＸＩＩＩ−ＸＩＩＩ矢視図である。
【図１４】本発明の一実施の形態を示す図で、図９のＸＩＶ−ＸＩＶ矢視図である。
【図１５】本発明の一実施の形態を示す図で、図１５（ａ）は歯科用薬剤充填装置の薬剤押出具の背面図、図１５（ｂ）は図１５（ａ）のｂ−ｂ矢視図、図１５（ｃ）は図１５（ｂ）のｃ−ｃ矢視図、図１５（ｄ）は図１５（ｃ）の拡大図である。
【図１６】本発明の一実施の形態を示す図で、図１６（ａ）は歯科用薬剤充填装置の薬剤保持具の背面図、図１６（ｂ）は図１６（ａ）のｂ−ｂ矢視図、図１６（ｃ）は図１６（ａ）のｃ−ｃ矢視図である。
【図１７】本発明の一実施の形態を示す図で、歯科用薬剤充填装置の先端部を一部破断するとともに拡大して示す図である。
【図１８】本発明の一実施の形態を示す図で、図１８（ａ）はプレート上に薬剤と水を出した状態を示す図、図１８（ｂ）はブート上で薬剤と水を混ぜる様子を示す図、図１８（ｃ）は混ぜられた薬剤を薬剤採取具の薬剤採取部の薬剤採取用溝で採取する様子を示す図、図１８（ｄ）は薬剤を採取した薬剤採取具の薬剤採取部の横断面図である。
【図１９】本発明の一実施の形態を示す図で、図１９（ａ）は薬剤を採取した薬剤採取具の薬剤採取部及び近傍を示す図、図１９（ｂ）は薬剤を採取した薬剤採取具の薬剤採取部の横断面図、図１９（ｃ）は薬剤採取具の薬剤採取部に薬剤保持具を被せる様子を示す図、図１９（ｄ）は薬剤採取具の薬剤採取部に薬剤保持具を被せそこに薬剤押出具を挿し込む様子を示す図、図１９（ｅ）は薬剤を歯の根管部に挿し込んで薬剤押出具で押し出す様子を示す図、図１９（ｆ）は押し出された薬剤を薬剤採取具の薬剤押込部で押し込む様子を示す図である。
【発明を実施するための形態】
【００１２】
以下、図１乃至図１９を参照して本発明の一実施の形態を説明する。本実施の形態による歯科用薬剤充填装置１は、薬剤採取具３と、薬剤保持具５と、薬剤押出具７と、から構成されている。上記薬剤採取具３は、把持部９と、この把持部９の一端に設けられた薬剤採取部１１と、上記把持部９の他端に設けられた薬剤押付部１３と、から構成されている。
【００１３】
上記把持部９は略軸状をなしていて、中央の大径把持部９ａと、この大径把持部９ａの両側に設けられた縮径把持部９ｂ、９ｃと、から構成されている。上記薬剤採取部１１は上記縮径把持部９ｂ側の先端に設けられていて、上記薬剤押付部１３は上記縮径把持部９ｃ側の先端に設けられている。
【００１４】
上記薬剤採取部１１は、図２、図１１に示すように、横断面形状が半円形の薬剤採取用溝１５を上記把持部９に交差する方向に延長・形成した構成になっている。この薬剤採取用溝１５内に水４３で練られて粘土状になった薬剤１７（図１８に示す）を採取する。
【００１５】
上記薬剤押付部１３は細長い軸状をなしていて先端に向かって徐々に縮径されるように形成されている。又、上記薬剤押付部１３は略「く」の字状に屈曲・形成されている。
【００１６】
上記薬剤保持具５は、図１６に示すように、中空短管形状をなしていて、大径把持部２１と小径部２３とから構成されている。これら大径把持部２１と小径部２３の中心部には中空部２５が形成されている。又、上記大径把持部２１には切欠部２７が形成されている。図１７に示すように、上記薬剤保持具５を薬剤採取具３の薬剤採取部１１に被せた場合、上記薬剤保持具３の把持部９の先端が上記切欠部２７に嵌るように構成されている。それによって、上記薬剤採取具３と薬剤保持具５の干渉を防止している。
【００１７】
上記薬剤押出具7は、図１５に示すように、略軸状に形成されていて、大径把持部３１と、中径部３３と、小径押出部３５と、から構成されている。上記小径押出部３５の先端面には、図１５（ｃ）、（ｄ）に示すように、十字形状溝部３７が形成されている。上記小径押出部３５によって薬剤１７を押し出す際、上記十字形状溝部３７内に薬剤１７の一部が入り込み、それによって、粘土状の薬剤１７と小径押出部３５との密着度が高まり、充填時における薬剤１７の不用意な脱落を防止するようにしている。
【００１８】
以上の構成を基のその作用を説明する。一例として、図１９に示すように、歯５１の根管部５３内に薬剤（例えば、セメント）１７を充填する場合を例に挙げて説明する。
まず、図１８（ａ）に示すように、プレート４１上に粉末状の薬剤１７と水滴４３を載置する。
次に、図１８（ｂ）に示すように、プレート４１上で混合用器具４５によって上記薬剤１７と水４３を混ぜて粘土状にする。
次に、図１８（ｃ）に示すように、薬剤採取具９によってプレート４１上の粘土状の薬剤１７を採取する。すなわち、薬剤採取具９の薬剤採取部１１の薬剤採取用溝１５によってプレート４１上の粘土状の薬剤１７を掻き採る。その結果、図１８（ｄ）に示すように、上記薬剤採取用溝１５内に粘土状の薬剤１７が採取された状態になる。
【００１９】
次に、図１９（ａ）に示すように、図示しない治具（スパチュラ）を使用して上記薬剤採取用溝１５内に採取された粘土状の薬剤１７の内余剰の薬剤１７を除去する。その結果図１９（ｂ）に示すような状態となる
次に、図１９（ｃ）に示すように、薬剤採取部１１の外側に薬剤保持具５を被せる。上記薬剤採取用溝１５内に採取された薬剤１７はこの薬剤保持具５の中空部２５によって保持される。その際、上記薬剤採取具３の把持部９の先端が上記切欠部２７に嵌り、それによって、上記薬剤採取具３と薬剤保持具５の干渉が防止される
次に、図１９（ｄ）に示すように、薬剤押出具７の小径押出部３５を上記薬剤保持具５の中空部２５内に挿入し、そこに保持されている薬剤１７を任意量押し出す。そして、図１９（ｅ）に示すように、任意量押し出された薬剤１７を口腔内の該当する歯５１の根管部５３内に挿入する。
尚、その際、上記薬剤押出具７によって薬剤１７を適宜押し出すこともできる。
【００２０】
上記根管部５３内に任意量の薬剤１７を押し出した後、図１９（ｆ）に示すように、薬剤採取具３の薬剤押込部１３によって押し出した薬剤１７を押し込む。このような処置を数回繰り返すことにより、根管部５３内に必要量の薬剤１７を充填する。
例えば、上記薬剤保持具５の中空部２５内に保持されている薬剤１７を少し押し出して上記根管部５３内に押し込み、再度、薬剤１７を少し押し出して上記根管部５３内に押し込み、以下、そのような作業を複数回繰り返すことにより根管部５３内に必要量の薬剤１７を充填する。それでも足りない場合には、再度、プレート４１上で粘土状の薬剤１７を作成して同様の作業を繰り返す。
【００２１】
以上本実施の形態によると次のような効果を奏することができる。
まず、歯５１の根管部５３内に必要量の薬剤１７を、容易に、且つ、精度良く充填することができる。これは、本実施の形態による薬剤採取具３、薬剤保持具５、薬剤押出具７を使用するからであり、それによって、薬剤１７の採取、保持、押出が容易になったからである。
詳しく説明すると、薬剤１７の採取については、薬剤採取具３の薬剤採取部１１の薬剤採取用溝１５をプレート４１上で数回滑らせることにより、プレート４１上の粘土状の薬剤１７を容易に掻き採ることができる。
又、薬剤保持具５を上記薬剤採取部１１に被せるだけで採取された薬剤１７を保持することができる。
又、薬剤押出具７の小径押出部３５を上記薬剤保持具５の中空部２５内に挿し込むだけで薬剤１７を任意量だけ押し出すことができる。
これらの作用が相まって上記効果を得ることができる。
又、上記薬剤採取具３において薬剤採取部１１の薬剤採取用溝１５は把持部９に対して交差する方向に延長・設置されているので、上記薬剤採取部１１による薬剤１７の採取も容易である。
又、上記薬剤採取具３には押し出された薬剤１７を押し込むための薬剤押込部１３が設けられているので、別の治具を要することなく一連の作業を行うことができる。
又、上記薬剤押出具７の小径押出部３５の先端面には十字形状溝部３７が設けられているので、薬剤押出時における小径押出部３５と薬剤１７の密着度を高めることができ、薬剤押出時における薬剤１７の不用意な脱落を防止することができる。
又、上記薬剤保持具５には切欠部２７が設けられているので、薬剤保持具５と薬剤採取具３の干渉を防止することができる。
【００２２】
尚、本発明は前記一実施の形態に限定されるものではない。
まず、前記一実施の形態においては、薬剤採取部を構成する溝を半円形としたがそれに限定されるものではなく、Ｖ字形状の溝、Ｌ字形状の溝、等様々な形状の溝が考えられる。
その他、各部の形状等はあくまで一例であり図示したものに限定されない。
【産業上の利用可能性】
【００２３】
本願発明は、例えば、歯の根管部に薬剤を充填する歯科用薬剤充填装置に係り、特に、簡単な作業で、且つ、正確に充填することができるように工夫したものに関し、例えば、根充治療に好適である。
【符号の説明】
【００２４】
１  歯科用薬剤充填装置
３  薬剤採取具
５  薬剤保持具
７  薬剤押出具
９  把持部
１１  薬剤採取部
１３  薬剤押込部
１５  薬剤採取用溝
１７  薬剤
３７  十字形状溝部
５１  歯
５３  根管部
【図１】
2019088599.tif 000003
【図２】
2019088599.tif 000004
【図３】
2019088599.tif 000005
【図４】
2019088599.tif 000006
【図５】
2019088599.tif 000007
【図６】
2019088599.tif 000008
【図７】
2019088599.tif 000009
【図８】
2019088599.tif 000010
【図９】
2019088599.tif 000011
【図１０】
2019088599.tif 000012
【図１１】
2019088599.tif 000013
【図１２】
2019088599.tif 000014
【図１３】
2019088599.tif 000015
【図１４】
2019088599.tif 000016
【図１５】
2019088599.tif 000017
【図１６】
2019088599.tif 000018
【図１７】
2019088599.tif 000019
【図１８】
2019088599.tif 000020
【図１９】
2019088599.tif 000021